(57)【要約】  本発明は、１０ミクロン以下の厚さを有するフィルム（２）を剪断するための剪断ベンチを最適化するための方法に関する。剪断ベンチは、複数の要素を含み、各要素は、複数のパラメータによって特徴付けられる。剪断ベンチのパラメータを形成するパラメータの、ブレード（２０）及びブレード（２０）と協働するカウンターブレード（２１）を含む少なくとも１つのブレードアセンブリ（１０）を含む複数の要素、システム（１２）フィルム（２）を進行させるため、及びフィルム（２）を剪断するためにブレード（２０）及びカウンターブレード（２１）を互いに押し付けるためのシステム。
2021526083.tif 000002
【特許請求の範囲】
【請求項１】
１０ミクロン以下の厚さを有するフィルム（２）を剪断するための剪断ベンチ（１）を最適化するための最適化方法であって、前記剪断ベンチ（１）は、複数の要素を備え、各要素は複数のパラメータによって特徴付けられ、前記パラメータのセットは、前記剪断ベンチ（１）のパレメータから成り、前記複数の要素は、ブレード（２０）及びブレード（２０）と協働するカウンターブレード（２１）を備える少なくとも１つのブレードアセンブリ（１０）、前記フィルム（２）を進行させるためフィルム進行システム（１２）、並びに、前記ブレード（２０）及び前記カウンターブレード（２１）を互い対して動かして前記フィルム（２）を剪断するためのブレード／カウンターブレード推進システム（１４）を備え、当該最適化方法は：
−  前記剪断ベンチ（１）のパラメータを選択するためのパラメータ選択ステップ；
−  前記剪断ベンチ（１）を評価するための評価基準に対応する前記剪断ベンチ（１）の測定値を取得するために、選択されたパラメータを提示する前記剪断ベンチ（１）の性能を測定するための性能測定ステップ；及び、
−  所望の値と測定値とを比較するための値比較ステップ；
を含み、
前記測定値が前記所望の値よりも厳密に低い場合、前記パラメータ選択ステップ、前記性能測定ステップ、及び、前記値比較ステップは、少なくとも１つの選択されたパラメータを変更することによって測定された値が前記所望の値以上になる時まで反復され、前記少なくとも１つの変更されたパラメータは、前記ブレードアセンブリ（１０）それぞれ、前記フィルム進行システム（１２）、及び、前記ブレード／カウンターブレード推進システム（１４）のパラメータの一部であり、次いで、当該最適化方法は、前記選択されたパラメータを選択するためのパラメータ選択ステップを含むことを特徴とする最適化方法。
【請求項２】
前記フィルム（２）は、第１の表面及び前記第１の表面の反対側の第２の表面を有し、前記第１の表面は、少なくとも１つのインク層でコーティングされることを特徴とする、請求項１に記載の最適化方法。
【請求項３】
前記ブレードアセンブリ（１０）それぞれについて、パラメータは：
−前記ブレード（２０）の厚さ；
−前記ブレード（２０）の材質；
−前記ブレード（２０）の直径；
−前記ブレード（２０）の形状；
−前記カウンターブレード（２１）の厚；
−前記カウンターブレード（２１）の材質；
−前記カウンターブレード（２１）の直径；及び
−前記カウンターブレード（２１）の形状；
であることを特徴とする請求項１または２に記載の最適化方法。
【請求項４】
前記フィルム進行システム（１２）及び前記ブレード／カウンターブレード推進システム（１４）に関連するパラメータは：
−前記ブレード（２０）それぞれの回転速度；
−前記カウンターブレード（２１）それぞれの回転速度；
−前記ブレード（２０）それぞれにかけられる圧力；
−前記カウンターブレード（２１）それぞれにかけられる圧力；
−前記フィルム（２）の進行速度；
−前記フィルム（２）の張力；
−前記ブレード（２０）それぞれの回転速度と、前記ブレード（２０）と連携する前記カウンターブレード（２１）の回転速度との比率；及び
−前記ブレード（２０）それぞれと、前記ブレード（２０）と連携する前記カウンターブレード（２１）との重なり；
であることを特徴とする請求項１〜３のいずれか一項に記載の最適化方法。
【請求項５】
前記反復ごとに変化するパラメータは：
−前記ブレード（２０）それぞれの厚さ；
−前記ブレード（２０）それぞれの材質；
−前記カウンターブレード（２１）それぞれの厚さ；
−前記カウンターブレード（２１）それぞれの材質；
−前記ブレード（２０）それぞれの回転速度（２０）；
−前記カウンターブレード（２１）それぞれの回転速度；及び
−前記フィルム（２）の進行速度；
であることを特徴とする請求項１〜４のいずれか一項に記載の最適化方法。
【請求項６】
前記反復ごとに変化するパラメータは：
−前記ブレード（２０）それぞれと前記フィルム（２）との間に形成される剪断角度
−前記ブレード（２０）それぞれと前記ブレード（２０）と連携するカウンターブレード（２１）との間の重なり；
−前記ブレード（２０）それぞれの回転速度；
−前記カウンターブレード（２１）それぞれの回転速度；、及び
−前記フィルム（２）の進行速度；
であることを特徴とする請求項１〜５のいずれか一項に記載の最適化方法。
【請求項７】
前記反復ごとに変化するパラメータは：
−前記ブレード（２０）それぞれと前記フィルム（２）の間に形成される剪断角度；及び
−前記ブレード（２０）それぞれと前記ブレード（２０）と連携するカウンターブレード（２１）との間の重なり；
であることを特徴とする請求項１〜５のいずれか一項に記載の最適化方法。
【請求項８】
評価基準が：
−スループット率；
−速度；
−ファウリング；
−前記フィルム（２）の品質；及び
−前記ブレード（２０）及び前記カウンターブレード（２１）の耐用年数；
副基準の重み付けであることを特徴とする請求項１〜７のいずれかに記載の最適化方法。
【請求項９】
前記重み付けは、前記速度及び前記ファウリングの副基準のみが使用されるようになされることを特徴とする請求項８に記載の最適化方法。
【請求項１０】
前記フィルム（２）を進行させるための前記フィルム進行システム（１２）が、第１のローラー（２５）及び第２のローラー（２６）を含み、速度の副基準が、前記第１及び第２のローラー（２５、２６）の回転速度を測定することによって決定され、ここで、前記ファウリングの副基準は、少なくともイメージセンサーによって測定されることを特徴とする請求項８または９に記載の最適化方法。
【請求項１１】
前記フィルム（２）は、ポリエチレンテレフタレート（ＰＥＴ）でできていることを特徴とする請求項１〜１０のいずれか一項に記載の最適化方法。
【請求項１２】
前記ブレード（２０）ぞれぞれは、刃先を備えるカッター（２２）を備え、前記カッター（２２）は放物線形状を有することを特徴とする請求項１〜１１のいずれか一項に記載の最適化方法。
【請求項１３】
１０ミクロン以下の厚さを有するフィルム（２）を剪断するための剪断ベンチ（１）であって、前記剪断ベンチ（１）は、複数の要素を含み、各要素は、複数のパラメータによって特徴付けられ、パラメータのセットは、前記剪断ベンチ（１）のパラメータから成り、前記複数の要素は、ブレード（２０）及びブレード（２０）と協働するカウンターブレード（２１）を備える少なくとも１つのブレードアセンブリ（１０）、前記フィルム（２）を進行させるためのフィルム進行システム（１２）、及び、前記ブレード（２０）及び前記カウンターブレード（２１）を互い対して動かして前記フィルム（２）を剪断するためのブレード／カウンターブレード推進システム（１４）を備え、前記剪断ベンチ（１）は、請求項１から１２のいずれか一項に記載の最適化方法を実施することによって選択されたパラメータを有することを特徴とする剪断ベンチ（１）。
【発明の詳細な説明】
【技術分野】
【０００１】
本発明は、１０ミクロン以下の厚さを有するフィルムを剪断するための剪断ベンチを最適化するための最適化方法、及び、関連する剪断ベンチに関する。
【背景技術】
【０００２】
剪断ベンチは既知であり、これは、フィルムを剪断するように構成されたブレード及びカウンターブレードを備える少なくとも１つのブレードアセンブリを備える。ブレード及びカウンターブレードは、通常、それぞれのローラーに取り付けられた円形のブレードである。フィルムはローラー間の剪断ベンチを通過することができる。
【０００３】
ただし、さまざまな点で剪断ベンチの性能は完全に満足のいくものではない。例えば、剪断ベンチの生産性やフィルムの製品品質は最適ではない。
【発明の概要】
【発明が解決しようとする課題】
【０００４】
従って、改善された特性を示す剪断ベンチの必要性が存在する。
【課題を解決するための手段】
【０００５】
この目的のために、本願は、１０ミクロン以下の厚さを有するフィルムを剪断するための剪断ベンチを最適化するための最適化方法に関する。剪断ベンチは、複数の要素を備え、各要素は複数のパラメータによって特徴付けられている。パラメータのセットは、剪断ベンチのパラメータから成り、複数の要素は、ブレード及びブレードと協働するカウンターブレードを備える少なくとも１つのブレードアセンブリ、フィルムを進行させるためフィルム進行システム、並びに、ブレード及びカウンターブレードを互い対して動かしてフィルムを剪断するためのブレード／カウンター−ブレード推進システムを備える。本方法は、剪断ベンチのパラメータを選択するためのパラメータ選択ステップ、剪断ベンチを評価するための評価基準に対応する剪断ベンチの測定値を取得するために、選択されたパラメータを提示する剪断ベンチの性能を測定するための性能測定ステップ、及び、所望の値と測定値とを比較するための値比較ステップを含む。測定値が所望の値よりも厳密に低い場合、パラメータ選択、性能測定、及び、値比較のステップは、少なくとも１つの選択されたパラメータを変更することによって測定された値が所望の値以上になる時まで反復され、少なくとも１つの変更されたパラメータは、各ブレードアセンブリ、フィルム進行システム、及び、ブレード／カウンターブレード推進システムのパラメータの一部である。次いで、本方法は、選択されたパラメータを選択するためのパラメータ選択ステップを含む。
【０００６】
特定の実施形態によれば、最適化方法は、単独で、または技術的に可能なすべての組み合わせに従って考慮された、以下の特徴的な特徴のうちの１つまたは複数を含む：
−フィルムは、第１の表面及び第１の表面の反対側の第２の表面を有し、第１の表面は、少なくとも１つのインク層でコーティングされている；
−各ブレードアセンブリのパラメータは、ブレードの厚さ、ブレードの材質、ブレードの直径、ブレードの形状、カウンターブレードの厚さ、カウンターブレードの材料、カウンターブレードの直径、及び、カウンターブレードの形状である；
−システムに関連するパラメータは、各ブレードの回転速度、各カウンターブレードの回転速度、各ブレードに適用される圧力、各カウンターブレードに適用される圧力、フィルムの進行速度、フィルムの張力、カウンターブレードの回転速度に対するブレードの回転速度の比、及び、カウンターブレードとのブレードの重なりである；
−反復ごとに異なる唯一のパラメータは、各ブレードの厚さ、各ブレードの材料、各カウンターブレードの厚さ、各カウンターブレードの材料、各ブレードの回転速度、各カウンターブレードの回転速度、及び、フィルムの進行速度である；
−反復ごとに異なる唯一のパラメータは、各ブレードの回転速度、各カウンターブレードの回転速度、及び、フィルムの進行速度である；
−反復ごとに異なる唯一のパラメータは、各ブレードとフィルムの間に形成される剪断角度、各ブレードとカウンターの間の重なりブレードと連携するブレード、各ブレードの回転速度、各カウンターの回転速度−ブレード、及びフィルムの進行速度である；
−反復ごとに異なる唯一のパラメータは、各ブレードとフィルムとの間に形成される剪断角度、及び、各ブレードと、ブレードと協働するカウンターブレードと、の間の重なり；である；
−評価基準は、スループット率、速度、ファウリング、フィルムの品質、及び、ブレードの耐用年数の副基準の重み付けである；
−重み付けは、速度とファウリングとの下位基準のみが使用されるようになっている；
−フィルムを進行させるためのフィルム進行システムは、第１のローラー及び第２のローラーを含み、速度の下位基準は、第１及び第２のローラーの回転速度を測定することによって決定され、ファウリングの下位基準は、少なくともイメージセンサー；
−フィルムはポリエチレンテレフタレート（ＰＥＴ）で作られる；
−各ブレードは、刃先を含むカッターで構成され、カッターは放物線形状を有する。
【０００７】
また、本特許明細書は、１０ミクロン以下の厚さを有するフィルムを剪断するための剪断ベンチに関する。剪断ベンチは、複数の要素を含み、各要素は、複数のパラメータによって特徴付けられ、パラメータのセットは、剪断ベンチのパレメータから成り、複数の要素は、ブレード及びブレードと協働するカウンターブレードを備える少なくとも１つのブレードアセンブリ、フィルムを進行させるためのフィルム進行システム、及び、ブレードとカウンターブレードを互いに対して押し付けてフィルムを剪断するためのブレード／カウンターブレード推進システムを備え、剪断ベンチは、上述の最適化方法を実施することによって選択されたパラメータを有する。
【０００８】
本発明の他の特徴的な特徴及び利点は、以下を含む図面を参照して例としてのみ提供される本発明の実施形態の以下の説明を読むと明らかになるだろう。
【図面の簡単な説明】
【０００９】
【図１】例示的な剪断ベンチの概略断面図である。
【図２】図１による例示的な剪断ベンチの一部の概略断面図である。
【図３】図１に従って剪断ベンチを最適化するための最適化方法を概略的に示すフローチャートである。
【発明を実施するための形態】
【００１０】
フィルムを剪断するための剪断ベンチ１を図１に示す。剪断ベンチ１は、フィルム２を剪断するように構成される（特に、図２に示す）。
【００１１】
特に、剪断ベンチ１は、以下の特性のうちの１つ以上を有するフィルム２を剪断するように構成される。
【００１２】
フィルム２は、４ミクロン〜１０ミクロンの間、好ましくは６ミクロン以下の厚さを有する。
【００１３】
フィルム２は、例えば、ポリアミドまたはポリエステル、例えばポリエチレンテレフタレート、またはＰＥＴなどのタイプのポリマーでできている。
【００１４】
フィルム２は、特に二軸配向されている。「二軸配向」という用語は、フィルム２が第１の表面及び第１の表面の反対側の第２の表面を有することを示すと理解される。第１の表面は、特にホットメルトインクであるインクの少なくとも１つの層でコーティングされている。第１の表面のインク層は、印刷中に受容媒体に転写されることを意図している。受容媒体は、例えば、フィルム２のインク層を保護するための接着剤層及び／または保護層と組み合わされる／結合される。フィルム２の第２の表面は、意図された裏打ちと呼ばれる少なくとも１つの層でコーティングされる。フィルム２を保護するため。第２の表面は、特にスライド可能な表面を提示する。特に、スライド可能な表面により、プリントヘッドの下でのフィルムの進行が可能になる。
【００１５】
提供された例では、フィルム２は、ワックス、樹脂、及びカーボンブラックなどの少なくとも１つの顔料からなるインクの層でコーティングされたＰＥＴで作られた第１の表面を有する。第２の表面は、シリコーン誘導体からなる層でコーティングされている。
【００１６】
剪断ベンチ１は、特に、剪断ベンチ１を通って進行方向Ｄ１に沿って進行するようにスライドするように設計されたテープの形態で供給されるフィルム２を剪断するように構成される。特に、剪断ベンチ１は、以下のように構成される。フィルムを剪断します。進行方向Ｄ１に沿った長さが３００メートルから１２００メートルの間である２。
【００１７】
剪断ベンチ１については、進行方向Ｄ１に実質的に直交する第２の方向Ｄ２が定義されている。特に、２番目の方向は水平です。進行方向Ｄ１に直交し、第２の方向Ｄ２に直交する第３の方向Ｄ３がさらに定義される。
【００１８】
剪断ベンチ１は、複数の要素を含む。各要素は、複数のパラメータによって特徴付けられ、パラメータのセット全体が剪断ベンチ１のパラメータを構成する。
【００１９】
特に、剪断ベンチ１は、少なくとも１つのブレードアセンブリ１０、フィルム２を進行させるためのフィルム進行システム１２、及び、ブレードアセンブリ１０のためのブレード／カウンターブレード推進システム１４を備える。
【００２０】
図１の例では、９つのブレードアセンブリ１０が示されている。
【００２１】
各ブレードアセンブリ１０は、ブレード２０及びブレード２０と協働するカウンターブレード２１を備える（特に図２に示される）。
【００２２】
各ブレード２０は、刃先を備えるカッター２２と、カッター２２をカウンターブレード２１に対して押し付けるように構成されたサスペンション２３と、を備える。
【００２３】
各ブレード２０は円形ブレードである。「円形ブレード」という用語は、第３の方向Ｄ３に垂直な平面内において円形のブレードを指す。特に、刃先は円形である。
【００２４】
各カウンターブレード２１は、例えば、刃先を含むブレード２０の一部を受容するように構成された空洞２４を備えるリングである。カウンターブレード２１は円形ブレードである。
【００２５】
各ブレードアセンブリ１０は、複数の技術的パラメータを含む。パラメータは、ブレード２０及びカウンターブレード２１の技術的特性である。
【００２６】
各ブレードアセンブリ１０について、パラメータは以下の通りである：
−ブレード２０の厚さ；
−ブレード２０の材質；
−ブレード２０の直径；
−ブレード２０の形状；
−カウンターブレード２１の厚さ；
−カウンターブレード２１の材質；
−カウンターブレード２１の直径；及び
−カウンターブレード２１の形状。
【００２７】
ブレード２０の厚さは、第３の方向Ｄ３に沿って定義される。厚さは、特に、フィルム２と接触することが意図されているブレード２０の刃先の厚さである。例えば、ブレード２０の厚さは、０．５ミリメートル（ｍｍ）に等しい。
【００２８】
カウンターブレード２１の厚さは、第３の方向Ｄ３に沿って定義される。カウンターブレード２１の厚さは、第３の方向Ｄ３に沿った最大の厚さである。
【００２９】
ブレード２０またはカウンターブレード２１の直径は、進行方向Ｄ１に沿って、または第２の方向Ｄ２に沿って定義される。
【００３０】
ブレード２０及びカウンターブレード２１の材料は、例えば、セラミックまたは鋼を含む。ブレード２０のカッター２２は、例えば、本質的に炭化タングステンを含み、これは、好ましくはセラミックでコーティングされている。
【００３１】
ブレード２０の形状は、特に、ブレード２０とフィルム２との間に形成される剪断角によって定義される。示される例では、剪断角は、実質的に９０度に等しい。
【００３２】
ブレード２０の形状は、さらに、カッター２２の形状を含む。示されている例では、カッター２２は、刃先を形成するために点で終端する長方形のベースを備える。
【００３３】
変形または追加として、カウンターブレード２１に対するブレード２０の横方向の動きも考慮に入れられる。
【００３４】
出願人は、試験により、驚くべき方法で、放物線形状を有するカッター２２がフィルム２を切断するのに特に有利であることを観察した。特に、放物線形状を有するカッターの刃先の厚さは、直線形状のカッターの刃先の厚さよりもより薄い。
【００３５】
ブレード２０の他の形状を考慮することができる。
【００３６】
フィルム２進行システム１２は、第１の回転軸を有する第１のローラー２５と、第１の回転軸に実質的に平行である第２の回転軸を有する第２のローラー２６とを少なくとも含む。さらに、フィルム進行システム１２は、第１及び第２のローラー２５、２６を支持することができる支持基板２８を備える。特に、第１及び第２のローラー２５、２６は、支持基板２８に対してそれぞれ第１及び第２の軸の周りを回転して移動可能である。
【００３７】
第１のローラー２５はブレード２０を備えており、第２のローラー２６はカウンターブレード２１を備えている。
【００３８】
さらに、フィルム進行システム１２は、第１及び第２のローラー２５、２６を駆動するためのモーターを備える。
【００３９】
フィルム２を進行させるためのフィルム進行システム１２に関して、パラメータは以下の通りである：
−フィルム２の進行速度；及び
−フィルム２の張力。
【００４０】
フィルム２の進行速度は、剪断ベンチ１に対して定義される。フィルム進行速度は、例えば、毎分４００メートルに等しい。
【００４１】
フィルム２の張力は、進行方向Ｄ１に沿って、または第３の方向Ｄ３に沿ってフィルム２に加えられる物理的力である。例えば、力は実質的に１０ニュートンに等しい。
【００４２】
ブレード／カウンターブレード推進システム１４は、フィルム２を剪断するために、ブレード２０及びカウンターブレード２１の適用を互いに押し付けるように構成される。
【００４３】
ブレード／カウンターブレード推進システム１４は、第１のローラー２５及び／または第２のローラー２６を移動させるための少なくとも１つのローラー移動装置４０と、少なくとも１つのコントローラ４２と、を備える。
【００４４】
ローラー移動装置４０は、例えば、第１及び／または第２のローラー２５、２６の一端を並進運動で移動可能に取り付けられた垂直レールを備える。ローラー移動装置４０は、第２の方向Ｄ２に沿って第１のローラー２５及び／または第２のローラー２６を移動するように構成される。また、ローラー移動装置４０は、第３の方向Ｄ３に沿って第１のローラー２５及び／または第２のローラー２６を移動させるように構成されている。
【００４５】
コントローラ４２は、例えば、コンピュータである。
【００４６】
コントローラ４２は、特に、ローラー移動装置４０にコマンドを送信し、ローラー移動装置４０の動作を制御するように構成される。
【００４７】
ブレード／カウンターブレード推進システム１４は、例えば、以下の技術的パラメータを有する：
−各ブレード２０の回転速度；
−各カウンターブレード２１の回転速度；
−各ブレード２０にかけられる圧力：
−各カウンターブレード２１にかけられる圧力；
−ブレード２０の回転速度とカウンターブレード２１の回転速度との比；及び
−ブレード２０とカウンターブレード２１との重なり。
【００４８】
好ましくは、各ブレード２０の回転速度は、第１のローラー２５の回転速度であり、各カウンターブレード２１の回転速度は、第２のローラー２６の回転速度である。
【００４９】
各ブレード２０または各カウンターブレード２１にかけられる圧力は、各ブレード２０またはカウンターブレード２１に加えられる力である。
【００５０】
かけられる圧力は、複数の要因に依存する。例えば、かけられる圧力は、ブレード２０またはカウンターブレード２１の回転速度及びフィルム２の厚さに依存する。かけられる圧力は、例えば、５０ニュートンに等しい。
【００５１】
ブレード２０の回転速度とカウンターブレード２１の回転速度との比は、ブレードの摩耗に影響を与える技術的パラメータである。特に、速度が非常に異なる場合、ブレード２０、２１はより大きな摩耗を受ける。例えば、比は５％に等しい。
【００５２】
ブレード２０とカウンターブレード２１との重なりは、進行方向Ｄ１に垂直な平面で観察される。例えば、図２において見られるように、ブレード部分２０は、空洞２４に含まれている、すなわち、ブレード２０は、カウンターブレード２１と重なっている。
【００５３】
剪断ベンチ１を最適化するための最適化方法に使用されるパラメータのみを説明してきた。他のパラメータが考慮され得る。
【００５４】
このような剪断ベンチ１の前述のパラメータを最適化するために、最適化方法１００が操作上実施され、実施例が、下記の段落で説明される。
【００５５】
この方法は、１つのパラメータ選択ステップ１１０、１つの性能測定ステップ１２０、及び、１つの値比較ステップ１３０を少なくとも備える。
【００５６】
パラメータ選択ステップ１１０の間に、剪断ベンチ１のパラメータが選択される。特に、選択されたパラメータは、ブレードアセンブリ１０、フィルム進行システム１２、及び、ブレード／カウンターブレード推進システム１４のためのものである。
【００５７】
最初の例では、パラメータは、各パラメータの事前定義された値の範囲からランダムに選択される。
【００５８】
別の例では、各パラメータは、市場で入手可能な剪断ベンチに基づいて選択される。
【００５９】
別の例によれば、互換性のあるパラメータのテーブルが事前に定義されている。１つのパラメータは、例えばランダムに選択され、他のパラメータはテーブルを使用して定義される。
【００６０】
好ましくは、コントローラ４２は、パラメータの組み合わせを決定する。特に、パラメータの組み合わせは、コントローラ４２によるパラメータの自動定義を伴う多数の変形を含む。
【００６１】
性能測定ステップ１２０の間に、選択されたパラメータを有する剪断ベンチ１の性能が測定される。
【００６２】
この性能は、剪断ベンチ１に関連する複数の物理量を評価することによって評価される。
【００６３】
物理量のセットが測定値を構成する。測定値は評価基準に対応する。評価基準は、１つまたは複数の副基準に対応するし。副基準は、例えば、次のとおりである：
−スループット率；
−速度；
−ファウリング；
−フィルム２の品質、及び
−ブレードの耐用年数。
【００６４】
スループット率の副基準は、事前定義された期間中に剪断ベンチ１を通過したフィルム２の長さを決定することによって測定される。例えば、２４時間にわたって通過したフィルム２の長さが測定される。例として、例えばメンテナンスの理由で剪断ベンチが頻繁にシャットダウンされる場合、剪断ベンチ１を通過したフィルム２はより短い長さであることが見出され、他の副基準は一定に保たれる。
【００６５】
速度の副基準は、例えばタコメータを用いて、ローラー２５、２６の回転速度を測定することによって評価される。
【００６６】
ファウリングの副基準は、例えば、特にブレード２０及び／またはカウンターブレード２１上の残留物を判断することができる、カメラなどの少なくとも１つの画像センサによって測定される。
【００６７】
フィルム２の品質の副基準は、フィルム２の厚さの均一性または不均一性、フィルム２の幅の均一性または不均一性、フィルム２のカットエッジの真直度または非真直度、及び、カットエッジのほつれまたは非ほつれの中から１つまたは複数の要因を考慮に入れることによって評価される。例えば、フィルム２の品質の副基準は、剪断ベンチ１の使用者によって、または光学制御センサを備えた制御機械によって評価される。
【００６８】
ブレードの耐用年数の副基準は、ブレード２０及びカウンターブレード２１の適切な動作の時間を測定することによって評価される。「適切な動作」という用語は、ブレードアセンブリ１０が事前定義された要件、特に刃先に関する要件に従ってフィルム２を剪断することを示すと理解される。特に、出願人は、例えば、ブレード２０、２１の高速回転で動作するために、ブレード２０、２１が加熱されると、ブレード２０、２１の耐用年数が減少することに留意した。
【００６９】
測定された副基準に基づいて、剪断ベンチ１を評価するための評価基準に対応する剪断ベンチ１の測定値が決定される。
【００７０】
特に、副基準は、性能測定ステップ１２０の間に重み付けを適用することによって組み合わされる。
【００７１】
重み付けは、例えば、少なくとも１つの多次元関数を含む。例えば、考慮される各下位基準について、関数には関数変数が含まれる。例として、２つの下位基準が考慮される場合、関数には２つの関数変数が含まれる。
【００７２】
好ましくは、重み付けは、速度及びファウリングの副基準のみが使用されるようなものである。この例では、測定された速度が最初の機能変数であり、測定されたファウリングが２番目の機能変数である。関数の結果が測定値である。測定ステップ１２０の終わりに、測定値が得られる。
【００７３】
値比較ステップ１３０の間に、測定値は、所望の値と比較される。
【００７４】
所望の値は、最適化方法を実施する前に事前に定義されることが好ましい。所望の値は、例えば、剪断ベンチ１の要件に基づいて定義される。
【００７５】
測定値が所望の値よりも厳密に低い場合、矢印１５０による反復を示す図３に示されるように、パラメータ選択１１０、性能測定１２０、及び値比較１３０のステップが反復される。反復中、各ブレードアセンブリ１０、フィルム進行システム１２、及び、ブレード／カウンターブレード推進システム１４それぞれのパラメータの中から選択されたパラメータの少なくとも１つが変更される。
【００７６】
好ましくは、反復ごとに変化するのは以下のパラメータのみである：
−各ブレード２０の厚さ；
−各ブレード２０の材質；
−各カウンターブレード２１の厚さ；
−各カウンターブレード２１の材質；
−各ブレード２０の回転速度；
−各カウンターブレード２１の回転速度；及び
−フィルム２の進行速度。
【００７７】
これらのパラメータのみをパラメータとして選択することは予測不可能であり、出願人が行った作業の結果である。特に、この選択は、変更されるパラメータの数を減らすことを可能にするのと同時に、剪断ベンチ１において様々な性能の改善を得ることが可能にする。
【００７８】
好ましくは、ある反復から別の反復まで変化するのは以下のパラメータのみである：
−各ブレード２０の回転速度；
−各カウンターブレード２１の回転速度；
−フィルム２の進行速度；及び
−ブレード２０とフィルム２との間に形成される剪断角度。
【００７９】
定義により、ブレード２０とフィルム２との間の剪断角は、フィルム２の法線とブレード２０の位置との間の角度である。
【００８０】
上記のパラメータを、以下のセクションではメインパラメータと称する。
【００８１】
メインパラメータの変更により、最適化方法１００をさらに単純化することが可能になる。
【００８２】
メインパラメータは、ブレードアセンブリ１０、フィルム進行システム１２、及びブレード／カウンターブレード推進システム１４のパラメータのうち、剪断ベンチ１の性能に最大の影響を与えるパラメータであることに留意されたい。
【００８３】
特に、メインパラメータは、ブレードアセンブリ１０、フィルム進行システム１２、及びブレード／カウンターブレード推進システム１４のパラメータのセットの中から他のパラメータの変更を伴うことに留意されたい。結果として、メインパラメータの変更は、同時に、他のパラメータの変更を可能にする。
【００８４】
例えば、フィルム２の進行速度は、特に、ブレードアセンブリ１０は、フィルム進行速度２が増加した場合、フィルム２をより長い長さ一定期間に亘ってカットするという事実のために、各ブレード２０にかけられる圧力、及び、各カウンターブレード２１にかけられる圧力に関連している。
【００８５】
ステップ１１０、１２０、及び１３０は、好ましくは、測定値が所望の値以上になるまで反復される。
【００８６】
測定値が所望の値以上である場合、パラメータ選択ステップ１４０が実施される。
【００８７】
選択ステップ１４０の間に、最適化方法１００の最後の先行する反復Ｉの間に選択されたパラメータが、剪断ベンチ１の動作のために選択される。
【００８８】
剪断ベンチ１を最適化するための最適化方法１００には、複数の利点がある。
【００８９】
例えばメインパラメータに亘って、パラメータを削減することは、剪断ベンチ１の操作に関して満足のいく結果を達成することを可能にし、同時に、最適化の複雑さを制限することを可能にする。
【００９０】
このようなパラメータの削減は、インクリボンの場合に明確である。
【００９１】
実際、ブレード２０及びカウンターブレード２１の接触を制御するパラメータのみが含まれる。
【００９２】
さらに、剪断されるフィルム２の性質のために、速度及びファウリングのみが使用されるので、副基準は好ましくは明確である。
【００９３】
特に、得られるフィルム２の形状は考慮されない。
【００９４】
従って、最適化方法１００は、剪断ベンチ１において所望の性能レベルを得ることが可能である。最適化方法１００のおかげで、よりよい特性を示す剪断ベンチ１がこうして得られる。
【００９５】
特に、手動使用では、剪断ベンチ１の最高速度は毎分５００メートル（速度は制限されている）であり、ブレード２０／カウンターブレード２１の耐用年数は５００万から８００万リニアメートルであり、１時間当たり４０００リニアメートルを得ることが可能である。
【００９６】
自動使用の場合、値はさらに高くなる。剪断ベンチ１の最高速度は毎分８００メートルから毎分９００メートルであり、ブレード２０／カウンターブレード２１の耐用年数は１０００万リニアメートル以上であり、１時間当たり１０，０００リニアメーターを得ることが可能である。
【００９７】
どちらの場合も、ファウリングはない。シンプルなトレースのみが観察され、これにより、剪断に影響を与えずに継続できる。
【００９８】
さらに、剪断ベンチ１で生成されるメーターの数と、剪断ベンチ１で生成できる理論上のメーターの数と、の比率として定義される、ＯＥＥとも呼ばれる総合設備効率は、８５％に等しい。
【００９９】
技術的に可能な場合、前述の実施形態の組み合わせも想定され得る。
【符号の説明】
【０１００】
１  剪断ベンチ
２  フィルム
１０  ブレードアセンブリ
１２  フィルム進行システム
１４  ブレード／カウンターブレード推進システム
２０  ブレード
２１  カウンターブレード
２２  カッター
２３  サスペンション
２４  空洞
２５  第１のローラー
２６  第２のローラー
２８  支持基板
４０  ローラー移動装置
４２  コントローラ
【図１】
2021526083.tif 000003
【図２】
2021526083.tif 000004
【図３】
2021526083.tif 000005
【国際調査報告】
2021526083.tif 000006
2021526083.tif 000007
2021526083.tif 000008
2021526083.tif 000009